(57)【要約】【課題】作品受台に載る大きさの作品であれば、背後に転落することなく安全に展示することができ、また美術工芸作品の展示具にふさわしい美観を備えたイーゼルを提供する。【解決手段】  左右一対の脚枠１１，１１の上下部位に上桟１２と下桟１３を連結して形成された前脚フレーム１と、前記上桟１２に開閉自在に取付けられた後脚フレーム３と、前脚フレーム１の前部に取付けられた作品受台４とを備えたイーゼルにおいて、前記した前脚フレーム１の内側に２本の保護棒２，２を縦状に配置するとともに、その保護棒２，２が断面円形状の棒体を用いて形成された構成とする。【選択図】図１
0003105390.tif 000002
【実用新案登録請求の範囲】
【請求項１】
左右一対の脚枠の上下部位に上桟と下桟を連結して形成された前脚フレームと、前記上桟に開閉自在に取付けられた後脚フレームと、前脚フレームの前部に取付けられた作品受台とを備えたイーゼルにおいて、前記した前脚フレームの内側に、その上端部と下端部をそれぞれ上桟と下桟に固着して成る２本の保護棒を配置するとともに、その保護棒が断面円形状の棒体を用いて形成されたことを特徴とするイーゼル。
【考案の詳細な説明】
【技術分野】
【０００１】  本考案は、絵画、写真、書、絵皿などのような美術工芸作品の展示具を主用途とするイーゼルに関するものである。
【背景技術】
【０００２】  従来、所定間隔に孔を有する２つの縦枠を前面にハの字状に配置し、その縦枠の孔に込み栓を差し込んで受け部材を支持するように構成した絵画用イーゼルがあった（例えば、特許文献１参照。）。また両側にそれぞれ立設された側枠材の間に３本の水平支持材を差し渡し、且つ側枠材間の中央に中央支持部材を立設した形状の画架も提案されている（例えば、特許文献２参照。）。
【特許文献１】実開昭６３−２０２３４３号公報
【特許文献２】実開昭５７−１５７２５４号公報
【考案の開示】
【考案が解決しようとする課題】
【０００３】  上記した特許文献１の絵画用イーゼルは、受け部材の位置変更が可能であるという利点はあるが、美術工芸作品の展示具として使用することを想定したものではないので、小さな作品を展示することができず、また展示できた場合でも、展示品が背後に落下して損傷し易いという欠点があった。【０００４】  また上記した特許文献２の画架は、水平支持材と中央支持材が十字状に交差されているので、上記した特許文献１のイーゼルの欠点を解消することはできるが、機能性を重視した構造で美観に欠けているので、美術工芸作品の展示具としては不適切であるという問題点があった。【０００５】  そこで本考案は、作品受台に載る大きさの作品であれば、背後に転落することなく安全に展示することができ、また美術工芸作品（以下、作品と称する）の展示具にふさわしい美観を備えたイーゼルを提供しようとするものである。
【課題を解決するための手段】
【０００６】  上記した課題を解決するために本考案は、左右一対の脚枠の上下部位に上桟と下桟を連結して形成された前脚フレームと、前記上桟に開閉自在に取付けられた後脚フレームと、前脚フレームの前部に取付けられた作品受台とを備えたイーゼルであって、前記した前脚フレームの内側に、その上端部と下端部が上桟と下桟にそれぞれ固着された形状の２本の保護棒を配置するとともに、その保護棒が断面円形状の棒体を用いて形成された構成とするものである。
【考案の効果】
【０００７】  本考案に成るイーゼルは、前脚フレームの内側に２本の保護棒を縦状に取付けた構造となっているので、作品受台に載る大きさの作品であれば、如何なる形状の作品でも展示することができ、且つ展示した作品の後方への転落を防止することができるという顕著な効果を奏するものであり、また作品受台の取付位置が限定されないので、作品受台を固着する型式および作品受台を着脱する型式のいずれにも対応することができるという製造上の利点がある。さらに本考案においては、肉厚の板状に設けた前脚フレームを末広がり状に形成し、その前脚フレームの内側に細い丸棒状の保護棒を配置した形状となっていて、見た目に優美で品格があるので、高額の作品を展示する場合でも、作品の雰囲気に悪影響を及ぼすようなことがなく、また作品の価値を貶めるようなこともないという長所がある。さらにまた家庭内の家具や調度と同様な高級感が付与されているので、インテリア家具としても使用することができるという特長がある。
【考案を実施するための最良の形態】
【０００８】  小さな作品でも安全に展示することができ、且つ優美な外観を備えたイーゼルを提供するという本考案の目的を、肉厚の板状に設けた前脚フレームの内側に、丸棒状の２本の保護棒を縦状に配置することで実現した。
【実施例】
【０００９】  本考案の一実施例を図面に基づいて説明するが、本考案に成るイーゼルは、図１に示すように、イーゼルの主体部分となる前脚フレーム１と、前脚フレーム１の内側に配置した保護棒２と、イーゼルを使用状態に立設するための後脚フレーム３と、展示する作品を載せる作品受台４とにより構成されるものであり、またその構成材の全部を木材などの同一素材によって形成するものである。【００１０】  前脚フレーム１は、図１および図２に示すように、所定の間隔を隔ててハの字状に配置された左右一対の脚枠１１，１１と、その脚枠１１，１１の上端部近傍に横状に連結された上桟１２と、脚枠１１，１１の下端部近傍に横状に連結された下桟１３とを備えて成るものであり、所定の厚みが付与された帯板（または断面長方形状の角棒）を用いて、それぞれ同一の厚さを有するように形成されたものである。なお前記した脚枠１１，１１の下端部には滑り止め用のゴム足１５が固着されており、また前脚フレーム１の内側の空隙部１４には、後述する２本の保護棒２，２が取付けられている。【００１１】  展示する作品の背後への転落防止を目的として設けられた２本の保護棒２，２は、図２および図３に示すように、断面円形状の細長い棒体を用いて形成されたものであるが、その棒体は、前記した前脚フレーム１の厚さよりもやや小さい直径のものを採用するのが好適である。また該保護棒２，２の取付形態は、各保護棒２，２の上端部を上桟１２の下面に固着し、且つ各保護棒２，２の下端部を下桟１３の上面に固着して設けるとともに、前脚フレーム１の空隙部１４を平行状に縦断して、下桟１３の上面を大略３等分するような垂直状に取付けられたものである。したがって本実施例においては、前脚フレーム１および保護棒２，２が図２に示すような左右対称状となっている。【００１２】  また後脚フレーム３は、脚枠１１とほぼ同一の幅と厚さを有する帯板（または角棒）を用いて形成されたもので、前脚フレーム１の上桟１２の背面側に、図示しない取付金具を介して開閉自在に取付けられている。したがってイーゼルの使用時には、この後脚フレーム３を後方へ開いて立設し、またイーゼルの不使用時には、後脚フレーム３の下部を下桟１３の背面に密着させて折りたたむようになっている。【００１３】  さらに作品受台４は、断面Ｌ字状の細長台状に形成されたもので、図１においては、前脚フレーム１にあらかじめ固着された構造のものを示しているが、適宜な金具等を使用して、使用者の所望位置に着脱自在に取付けるような構造としても差し支えない。【００１４】  上述のように本考案のイーゼルは、前脚フレーム１の内側に形成された空隙部１４に、丸棒を用いて形成した２本の保護棒２，２を縦状に配置した構成となっているので、作品受台４に載せて展示する作品の幅が、左右の脚枠１１間の幅よりも小さい場合でも、保護棒２，２によって背後から支えることができるとともに、前脚フレーム１の後方へ作品が落下することを防止することができる。また角柱状の前脚フレーム１と細長丸棒状の保護棒２，２を組み合わせた形状となっているので、見た目に優美で品格があり、高級家具と同様な印象を観者に与えることができる。なお本考案のイーゼルは、前述したような美術工芸作品の展示具を主用途とするものであるが、旧来からの用途である画架としても使用可能であることは勿論である。
【図面の簡単な説明】
【００１５】
【図１】本考案のイーゼルの斜視図である。
【図２】前脚フレームと保護棒の形状を示す正面図である。
【図３】図２のＡ−Ａ線拡大断面図である。
【符号の説明】
【００１６】    １  前脚フレーム
２  保護棒
３  後脚フレーム
４  作品受台
１１  脚枠
１２  上桟
１３  下桟
【図１】
0003105390.tif 000003
【図２】
0003105390.tif 000004
【図３】
0003105390.tif 000005